(57)【要約】  【課題】  開口を有してこの開口の開口幅よりも内方幅が広幅に形成され溝を備えたデッキプレートなどへの取り付けが容易で、溝の寸法差にも広く対応でき、また取り付け箇所である溝に対しても回動したり溝内を移動してしまうことのない配設体の支持具を提供することにある。  【解決手段】  配設体を支持する配設体支持具であって、配設体が固定される固定部と、少なくとも一箇所で折れ曲がる折曲部と、溝内に配置されて折曲部で折り曲げることにより溝に係合する少なくとも一対の係合部と、折り曲げるために把持される少なくとも一対の被把持部と、を備えている。係合部は、折曲部側に形成されて溝の一方の側壁側に配置される第１係合部と、この第１係合部から溝の内方幅よりも長く離され且つ本体を折り曲げることで他方の側壁側に配置される第２係合部と、を備えていることを特徴とする  【選択図】  図２
2008150854.tif 000002
【特許請求の範囲】
【請求項１】
開口を有してこの開口の開口幅よりも内方幅が広幅に形成され溝を備えた建築材、に固定されて配設体を支持する配設体支持具であって、
前記配設体が固定される固定部を有する支持具本体を備え、
この支持具本体には、該本体が少なくとも一箇所で折れ曲がる折曲部と、前記溝内に配置されて前記折曲部で折り曲げることにより前記溝に係合する少なくとも一対の係合部と、前記折り曲げるために把持される少なくとも一対の被把持部と、を備え、
前記係合部は、前記折曲部側に形成されて前記溝の一方の側壁側に配置される第１係合部と、この第１係合部から前記溝の内方幅よりも長く離され且つ前記本体を折り曲げることで他方の側壁側に配置される第２係合部と、を備え、
前記係合部を前記溝内に配置した状態で、前記第２係合部同士を近接させるべく折曲部で折り曲げることにより前記溝に対して回り止め且つ抜け止め状態に係合することを特徴とする配設体支持具。
【請求項２】
折曲部は、折り曲げた状態を維持すべく塑性変形可能に形成されてなることを特徴とする請求項１記載の配設体支持具。
【請求項３】
係合部には、溝の長手方向への移動を防止すべく側壁に食い込んで係止する係止部を備えてなることを特徴とする請求項１又は２記載の配設体支持具。
【請求項４】
係合部は建築材であるデッキプレートの下面に凹設された溝に固定され、固定部は配設体である配線又は配管材が固定されることを特徴とする請求項１〜３のいずれか１に記載の配設体支持具。
【発明の詳細な説明】
【技術分野】
【０００１】
この発明は、配管その他の所望の配設体を、建物の天井などの構造物に支持させて配設しようとする場合の、その支持に用いる支持具の改良に関する。
【背景技術】
【０００２】
例えば、建物の天井には、デッキプレートが張られている場合がある。このデッキプレートにはその下面に溝が凹設されている場合が多く、この溝は、溝の開口の開口幅よりも内方幅が広幅に形成されたものもある。このような溝を、配線又は配管材を配設する際の支持具の係止箇所として利用することが多く、その為の支持具も各種提案されている。
【０００３】
例えば特許文献１の吊り金具は、図１１に示すように、吊り金具のナット部にボルトを締め付けてボルト先端が溝の底に当接させると、その反発力で吊り金具の翼部が溝の側壁にほぼ垂直な状態で押しつけられ、吊り下げによる荷重にも耐えられるようになっている。
【０００４】
また特許文献２の支持具では、図１２〜１３に示すような、皿ボルトのような形状をなし、その頭部となる係止部が溝に係止するものである。そしてこれが２つの分割体に分割されることにより溝に挿入され、分割体をもとの一体に合わせることにより係止するようになっている。
【０００５】
また特許文献３の支持具は、図１４〜１５に示すように、溝に挿入した支持具を回動させて取り付けるようになっている。
【特許文献１】特開２０００−１５４６０７公報
【特許文献２】特開２００１−２５４４６７公報
【特許文献３】特開平９−１５８３８０公報
【発明の開示】
【発明が解決しようとする課題】
【０００６】
ただ特許文献１の吊り金具は、ボルトをボルトの先端が溝の底に当接するまで回さなければならず、取り付けが面倒である。
【０００７】
この点は特許文献２の支持具でも同様であり、係合部が、溝の大きさ・形状に合わなければ、その溝に合う別の支持具を準備しなければならない。
【０００８】
また特許文献３の支持具は、溝に挿入して回動させて取り付けるようになっているが、この回動可能な構成により、取り付けた支持具の逆回動も可能なために、吊り下げた配管などに引っ張られて逆回動などすることにより、溝から外れてしまうなどの不具合がある。
【０００９】
またデッキプレートの溝は、同じ規格品であっても、その開口幅などに有る程度の寸法公差があり、これに対して特許文献１〜３の吊り金具では特定の寸法を想定しているため、取り付け先の溝の寸法公差によっては寸法が合わないなどして、取り付けに不具合の生じることもある。
【００１０】
よって本願発明の目的とするところは、デッキプレートその他の溝を有する構造物への取り付けが容易で、溝の寸法公差にも広く対応でき、また取り付け箇所である溝に対しても回動したり溝内を移動してしまうことのない配設体の支持具を提供することにある。
【課題を解決するための手段】
【００１１】
以上の目的のために、本願請求項１記載の発明は、開口を有してこの開口の開口幅よりも内方幅が広幅に形成され溝を備えた建築材、に固定されて配設体を支持する配設体支持具である。そして前記配設体が固定される固定部を有する支持具本体を備え、この支持具本体には、該本体が少なくとも一箇所で折れ曲がる折曲部と、前記溝内に配置されて前記折曲部で折り曲げることにより前記溝に係合する少なくとも一対の係合部と、前記折り曲げるために把持される少なくとも一対の被把持部と、を備える。
【００１２】
また前記係合部は、前記折曲部側に形成されて前記溝の一方の側壁側に配置される第１係合部と、この第１係合部から前記溝の内方幅よりも長く離され且つ前記本体を折り曲げることで他方の側壁側に配置される第２係合部と、を備える。
【００１３】
更には、前記係合部を前記溝内に配置した状態で、前記第２係合部同士を近接させるべく折曲部で折り曲げることにより前記溝に対して回り止め且つ抜け止め状態に係合することを特徴とする。
【００１４】
請求項２記載の発明は、請求項１記載の発明において、折曲部が、折り曲げた状態を維持すべく塑性変形可能に形成されてなることを特徴とする。
【００１５】
請求項３記載の発明は、請求項１又は２記載の発明において、係合部には、溝の長手方向への移動を防止すべく側壁に食い込んで係止する係止部を備えてなることを特徴とする。
【００１６】
請求項４記載の発明は、請求項１〜３のいずれか１に記載の発明において、係合部は建築材であるデッキプレートの下面に凹設された溝に固定され、固定部は配設体である配線又は配管材が固定されることを特徴とする。
【発明の効果】
【００１７】
本願請求項１記載の発明によれば、溝への取り付けの際には被把持部を把持して支持具本体を折り曲げるだけで取り付けが成され、これによる容易な取り付けが実現する。また取り付け対象の溝が大小各種であっても、第２係合部が、第１係合部から溝の内方幅よりも長く離されている限りは、折り曲げにより第１係合部と第２係合部がそれぞれの側壁に当接して支持具取り付けが成され、その限りにおいては溝の幅の大小にも対応できる。また第１係合部と第２係合部が側壁に当接するので回り止めもなされる。
【００１８】
請求項２記載の発明によれば、塑性変形により折り曲げ状態が維持されるので、係合部の係合状態も維持される。
【００１９】
請求項３記載の発明によれば、係止部が溝の側壁に食い込みので、取り付け後の支持具の、溝の長手方向に動いてしまうことが規制される。
【００２０】
請求項４記載の発明によれば、天井のデッキプレートを様々な配設体の吊り下げに活用ができる。
【発明を実施するための最良の形態】
【００２１】
次に本願発明の配設体支持具の実施例を、図を持って説明する。即ちこの配設体支持具は、天井のデッキプレートなどに例示されるような建築材の下面に形成される溝に固定する支持具であって、溝はその開口の開口幅よりも、溝の内方幅が広幅に形成され、この溝に支持具を固定して、配線・配管などの配設体をこの支持具により支持するものである。
【実施例１】
【００２２】
図１〜３に示す配設体支持具１Ａは、塑性のあるステンレス板から形成されており、このステンレス板による支持具本体１０が主要な構成となっている。又この支持具本体１０は、支持具本体を二つ折りにできる屈曲部１１を有して、この屈曲部１１を境にして線対称に形成された片半部２０が、左右一対に形成されている。そしてこの一対の片半部２０は互いに約９０°を成すように折り曲げてある。
【００２３】
図１(a)に基づいて説明するが、この片半部２０には、その左右に凹部２１が形成されており、この凹部２１により括れた逆台形状の係合部２２が、片半部の上方に形成されている。逆台形状を成しているこの係合部２２は、その頂辺２３の両端の端部が左右に突き出ており、その屈曲部１１側の端部が第１係合部２４ａを成し、他方の端部が第２係合部２４ｂを成している。
【００２４】
又これら第１〜第２係合部２４ａ，２４ｂを成す端部の角部は、図４に示す溝１００の側壁１０１に食い込んで係止する係止部２５となっている。特に第２係合部２４ｂは、端部を外方に屈曲させてあり、係止部２５の角部の食い込みが良好になされるようになっている。
【００２５】
係合部２２は、その頂辺２３が前記溝の内方幅Ｗよりも長く形成されており、その結果、第１係合部２４ａと第２係合部２４ｂもその内方幅より長く離されている。また係合部２２は、固定先の溝１００の深さと同じ高さか少し短い高さに形成されており、配設体支持具１Ａを溝１００に挿入したときには、係合部２２のみが溝１００に挿入できるようになっている。
また凹部２１は、この様に挿入したときの、溝１００の開口１０２に対応する位置に形成されており、更には凹部２１の形状も、図４に示されているような、開口１０２の縁の断面形状に対応させた形状に形成されている。
【００２６】
そして約９０°に開いた一対の片半部２０は、開いた先端の端辺が互いに内側に折れ曲げてあり、この折れ曲がった部位が一対の被把持部２６をなして、折り曲げの際の把持する箇所を提供している。
【００２７】
更に片半部２２の下方は、下方に突き出た半円に形成され、その半円と同心円の固定用穴２７が形成されて、これが配線・配管などの配設体を固定するための固定部２８を成している。例えば、紐やフックなどをこの固定用穴２７に固定して、配設体の支持に役立てるのである。
【００２８】
以上のように構成されている片半部２０は、係合部２２と固定部２８の間の中腹部分で、他方の片半部２０と屈曲部１１を介して繋がっている。
【００２９】
次にこの配設体支持具１Ａを、図４に示すような、天井Ｘの下面を成すデッキプレートＸａの溝１００に対して使用する場合の使用方法を説明する。
【００３０】
この配設体支持具１Ａは、溝１００に対して図４に示されたような姿勢で、つまり屈曲部１１を立てた姿勢で、且つ、約９０°に開いている一対の片半部２０を、図５に示したような溝の長手方向に、左右の片半部２０が開いた姿勢で溝１００の下から溝に挿入するのである。
【００３１】
そして係合部２０のみが溝１００に挿入された状態にして、配設体支持具１Ａの被把持部２６を、ペンチその他の把持工具で挟み、図６に示すように、当初の折り曲げ角度約９０°を、更に折り曲げるのである。折り曲げると、係合部２２の頂辺２３が溝１００の内方幅Ｗよりも長いので、係合部２２が溝１００の側壁１０１に仕え、つまり第１係合部２４ａが溝の一方の側壁１０１側に当接し、第２係合部２４ｂが他方の側壁１０１側に当接するのである。従って、支持具本体１０に形成された凹部２１は、折り曲げたときに、溝１００の開口１０２を収納できる程度の深さを有する凹部２１に形成されているのである。
【００３２】
この状態で更に強く把持すると、第１係合部２４ａ及び第２係合部２４ｂは、その端部の係止部２５が側壁１０１に食い込むのである。このように食い込んだ状態で把持操作を終了するのであるが、配設体支持具１Ａは塑性のあるステンレス板で形成されており、屈曲部１１も塑性変形可能となっているので、折り曲げされた状態がそのまま保持され、開いて元の状態に戻ろうとすることはない。この様に、屈曲部１１の塑性により折り曲げた状態が保持され、また第１係合部２４ａ及び第２係合部２４ｂの係止部２５の食い込みによっても、折り曲げた状態が維持される。
【００３３】
この様にして配設体支持具１Ａの固定が成されたら、ここに配線や配管などの図示しない配設体を固定部２８に固定すればよい。
【００３４】
この様に配設体を支持するのであるが、支持した配線・配管などにより配設体支持具１Ａに、引っ張り力や、回動させる外力の加わることもある。その様な場合であっても、配設体支持具１Ａは係止部２５が溝の側壁に食い込んでいるので、溝１００の中を引っ張り力で移動してしまうことはない。
【００３５】
また回動させる外力が加わっても、溝１００の内方幅Ｗよりも長い係合部２２が、溝１００に斜めに架け渡された状態で筋交いのように係合されており、この状態が回動を規制している。しかもこの様な斜めな架け渡しの係合部２２の２つが、図６のような、正逆双方の回動を各々で規制するようになっているので、正逆いずれの回動に対しても回り止めが効くのである。
【００３６】
また配設の場所ごとによってはデッキプレートが異なり、溝の幅も様々に異ることもあるが、そのような場合であっても、係合部２２の頂部２３の長さが溝の内方幅より長ければ、配設体支持具１Ａの溝への固定はできるので、１つの配設体支持具１Ａで様々な溝幅の溝に対応でき、適用範囲も広くなる。
【００３７】
なお、配設体支持具の固定先はデッキプレートに限るものではなく、例えば図７に示すように、天井に取り付けられたＣ型レール２００などに固定するのであってもよい。このＣ型レールも開口を有していて、この開口２０２の開口幅よりも内方幅が広幅に形成された溝２００を備えているからである。
【実施例２】
【００３８】
図８の配設体支持具１Ｂは、その係合部が、実施例１のような逆台形状ではなく、Ｖ字形状に形成されている。この配設体支持具１Ｂは、係合部２２以外は実施例１と同様の構成を有するものである。
【実施例３】
【００３９】
また実施例３の配設体支持具１Ｃは、図９〜１０に示すように１枚のステンレス板を、その背板３０を中心にして３箇所で屈曲させて形成されたものである。この配設体支持具１Ｃの支持具本体１０は、方形な背版３０の左右に、実施例１と同様に、係合部２２・被把持部２６・固定用穴２６を有した片半部２０が、左右２つの屈曲部１１を介してそれぞれ延設されている。また背版３０の下方には、背板３０と直角に屈曲された方形な底板４０が、中央に固定用ネジ穴４１を有して、固定部４２として延設されている。この固定用ネジ穴４１は、図１０中に示されているリング付きボルト５０が螺合できるようになっている。
【００４０】
このリング付きボルト５０のリング５１を利用して、配線や配管などの配設体を固定するのであるが、この固定用ネジ穴４１を用いずに、片半部２０の固定用穴２７を用いて固定してもよく、いずれかを選択できるようになっている。ただ片半部２０の固定用穴２７は省略して、固定用ネジ穴４１だけを備えるようにしたものでもよい。
【実施例４】
【００４１】
図１１〜１２に示す実施例４の配設体支持具１Ｄは、図１３に示すよう横長な長方形のステンレス板５０を、中央の屈曲部で９０°屈曲させたものである。また屈曲させる前に、ステンレス板５０の上辺５１と下辺５２の中央に、Ｔ字状の切れ目５３を入れておき、この中央で９０度に折り曲げたときには、切れ目５３の部分が第１係合部２４ａとして現れ、また第２係合部２４ｂは、ステンレス板５０を型抜きする段階で形成させておけばよい。
【００４２】
この場合、折り曲げた片半部２０がそのまま係合部２２となり、係合部２２に設けられた固定用穴２７により固定部２８が形成されるのである。
【００４３】
この配設体支持具１Ｄは、図１４に示すように、Ｃ型レール２００ａに固定する場合が想定されており、配設体支持具１Ｄは溝２００内に全て収納された状態で、溝２００に差し入れた把持具などにより把持され、溝２００への固定が成されるのである。固定されたら、フックその他の部材を固定用穴２７に係止させ、配線などの固定を行うのである。
【実施例５】
【００４４】
実施例５の配設体支持具１Ｅは、図１５〜１６に示すように、実施例３に類似して、１枚のステンレス板を、その背板３０を中心にして３箇所で屈曲させて形成されたものである。この配設体支持具１Ｅの支持具本体１０は、方形な背版３０の左右に、横長な方形の片半部２０が、左右２つの屈曲部１１を介してそれぞれ延設されている。また背版３０の下方には、背板３０と直角に屈曲された方形な底板４０が、中央に固定用ネジ穴４１を有して、固定部４２として延設されている。この固定用ネジ穴４１は、図１０中に示されているボルト棒５２が螺合できるようになっている。
【００４５】
この配設体支持具１Ｅの用い方は、天井の溝に固定する用い方の他に、例えば図１７に示すように、軽量間仕切り壁の支柱に用いられる軽量形鋼２１０の溝２１１を固定先とするなどの使用方法でもよい。この場合は溝２１１が縦方向となるので、配設体支持具１Ｅは平面視した図１７に示されたように横向きに固定する事となる。そして底板４０の固定用ネジ穴４１にボルト棒５２を螺合させ、これに所望の配設体を固定することができるのであり、例えばスイッチボックスを取り付けるなどしてもよい。
【００４６】
なお本願発明は上記実施例に限るものではなく、発明の趣旨を逸脱しない範囲でどのように実施されてもよい。
【００４７】
被把持部は折れ曲げて形成されているが、折れ曲がっていなくてもよい。また被把持部の位置は各実施例で示したような屈曲部で繋がっている片半部同士のその先端に限らず、その他のどの箇所であってもよく、例えば固定部が被把持部を兼ねるものであってもよい。
【００４８】
固定部は穴やネジ穴であるがこれに限らず、配設体を固定するためのものであればどの様であってもよい。
【００４９】
係止部は第１及び第２係合部の端部の角部を利用しているが、端部の角部に限らず食い込む為の歯を形成させたり、その他どの様でもよい。
【００５０】
また各実施例では、係合部を２つ備えているが、２つに限らずいくつでもよい。
【００５１】
折り曲げ部も当初から折り曲げあるものに限らず、一対の片半部が全く折り曲げてはなく平らに繋がったものでもよい。またその場合は、折り曲げようとするときには、屈曲部として予定された箇所で折り曲がるようになっていればよい。たとえば実施例４において、折り曲げ前の図１０Ｃに示したステンレス板を配設体支持具としたのであってもよい。
【００５２】
またいずれの実施例も塑性のあるステンレス板を用いているがこれに限らず、折り曲げた屈曲部が開かないように互いに係合しあうような構成にすれば、合成樹脂でもよく、或いはその他の材質を用いてもよい。
【図面の簡単な説明】
【００５３】
【図１】この図は、実施例１の配設体支持具の３面図であり、(a)正面図、(b)平面図、(c)右側面図となっている。
【図２】この図は、配設体支持具を開いた側から見た斜視図である。
【図３】この図は、配設体支持具を開いた背後から見た斜視図である。
【図４】この図は、配設体支持具をデッキプレートの溝に固定させ様子の説明図である。
【図５】この図は、配設体支持具を溝に挿入する際の様子を、下から見た様子の説明図である。
【図６】この図は、配設体支持具を把持して折り曲げることにより、係合部を側壁に契合させる操作の説明図である。
【図７】この図は、実施例１の配設体支持具をＣ型レールに固定する様子の説明図である。
【図８】この図は、実施例２の配設体支持具の図であり、(a)正面図、(b)右側面図となっている。
【図９】この図は、実施例３の配設体支持具の平面図である。
【図１０】この図は、実施例３の配設体支持具にリング付きボルトを取り付ける様子の説明図である。
【図１１】この図は、実施例４の配設体支持具の平面図である。
【図１２】この図は、実施例４の配設体支持具の斜視図である。
【図１３】この図は、実施例４の配設体支持具を形成させるためのステンレス板である。
【図１４】この図は、実施例４の配設体支持具をＣ型レールに固定する様子の説明図である。
【図１５】この図は、実施例５の配設体支持具の平面図である。
【図１６】この図は、実施例５の配設体支持具の斜視図であり、併せてボルト棒を固定する様子も示している。
【図１７】この図は、実施例５の配設体支持具を軽量形鋼による支柱に固定した様子と、これにボルト棒を固定する様子の説明図である。
【図１８】この図は、特許文献１の吊り金具の図である。
【図１９】この図は、特許文献２の支持具の図である。
【図２０】この図は、特許文献２の支持具の図である。
【図２１】この図は、特許文献３の支持具の図である。
【図２２】この図は、特許文献３の支持具の取り付け操作の説明図である。
【符号の説明】
【００５４】
１Ａ，１Ｂ，１Ｃ，１Ｄ，１Ｅ  配設体支持具
１０  支持具本体
１１  屈曲部
２０  片半部
２１  凹部
２２  係合部
２３  頂辺
２４ａ  第１係合部
２４ｂ  第２係合部
２５  係止部
２６  被把持部
２７  固定用穴
２８  固定部
３０  背板
４０  底板
４１  固定用ネジ穴
４２  固定部
１００ａ  デッキプレート
１００  溝
１０１  側壁
１０２  開口
２００ａ  Ｃ型レール
２００  溝
２０２  開口
２１０  軽量形鋼
２１１  溝
【図１】
2008150854.tif 000003
【図２】
2008150854.tif 000004
【図３】
2008150854.tif 000005
【図４】
2008150854.tif 000006
【図５】
2008150854.tif 000007
【図６】
2008150854.tif 000008
【図７】
2008150854.tif 000009
【図８】
2008150854.tif 000010
【図９】
2008150854.tif 000011
【図１０】
2008150854.tif 000012
【図１１】
2008150854.tif 000013
【図１２】
2008150854.tif 000014
【図１３】
2008150854.tif 000015
【図１４】
2008150854.tif 000016
【図１５】
2008150854.tif 000017
【図１６】
2008150854.tif 000018
【図１７】
2008150854.tif 000019
【図１８】
2008150854.tif 000020
【図１９】
2008150854.tif 000021
【図２０】
2008150854.tif 000022
【図２１】
2008150854.tif 000023
【図２２】
2008150854.tif 000024